(57)【要約】【課題】保持具を用いながら保持具を汚さないで食事をすることができる上、持ちやすく、正しい作法で食事をすることができる食事道具と保持具のセットを提供することを目的とする。【解決手段】食卓用ナイフ又は使用者により把持されて食物を口に運ぶための道具である食事道具と、その食事道具の先端部を支える保持具とを備えた食事道具セットであって、反発力の作用により、食事道具の先端部が保持具から浮き上がった状態に保持されることを特徴とする。そして、その反発力の強度が、所定領域の中央部から外方に向かうに従い漸増することを特徴とする。【選択図】図１
2019055075.tif 000002
【特許請求の範囲】
【請求項１】
食卓用ナイフ又は使用者により把持されて食物を口に運ぶための道具である食事道具と、前記食事道具の先端部を支える保持具と、を備えた食事道具セットであって、
第１作用手段が前記食事道具に設けられ、前記第１作用手段との間で反発力を発生させるための第２作用手段が前記保持具に設けられ、前記反発力の作用により、前記食事道具の先端部が前記保持具から浮き上がった状態に保持されることを特徴とする食事道具セット。
【請求項２】
前記第１作用手段と前記第２作用手段の間の所定領域における前記反発力の強度は、所定方向の中央部から外方に向かうに従い漸増し、前記所定方向は前記食事道具の長手方向に垂直でかつ水平方向に沿うことを特徴とする請求項１に記載の食事道具セット。
【請求項３】
前記第１作用手段と前記第２作用手段の間の所定領域において、前記反発力の強度が中央部から周縁部に向かうに従い漸増することを特徴とする請求項１に記載の食事道具セット。
【請求項４】
前記食事道具は２本の箸からなる一膳の箸であって、前記２本の箸の各々に相互に吸着しあう吸着手段が設けられていることを特徴とする請求項１〜３の何れかに記載の食事道具セット。
【請求項５】
前記第１作用手段と前記第２作用手段はいずれも磁石であって、前記第２作用手段の一対の磁極を結ぶ軸線は上下方向に沿って延び、前記第１作用手段の一対の磁極を結ぶ軸線は前記食事道具の長手方向に沿って延びることを特徴とする請求項１〜４の何れかに記載の食事道具セット。
【発明の詳細な説明】
【技術分野】
【０００１】
本発明は、食事中の食物を切り分け、あるいは口に運ぶための食事道具と、その食事道具を食卓などに支持する保持具からなる食事道具セットに関するものであり、具体的にはナイフ、フォーク、スプーンなどのカトラリー、あるいはお箸、串などの食事道具とそれを支持するナイフレストや箸置きなどの保持具の食事道具セットに関する。
【背景技術】
【０００２】
食事をする場合に用いる食事道具は、食物の接触する先端部と手が把持する手元部とからなる。食事中、食物が食事道具の先端部に付着するので、通常は先端が食卓の上面に接触して汚さないように、先端部を支えて保持するナイフレストや箸置きなどの保持具を用いるのが正しい作法である。
しかし、近年は作法を簡略化し、保持具を用いないで食事をすることが多くなっている。
【０００３】
この理由として、保持具を用いた場合には食卓の上面が汚れなくても保持具が汚れてしまうので、後片付けで保持具を洗うのが面倒だからである。
【０００４】
この問題を解決するため、保持具がなくても食事道具の先端部が浮上して食卓の上面などの載置面に接触しないような形状の提案が、例えば特許文献１ないし特許文献３になされている。しかし、そのような提案は食事道具の長手方向中央部付近を太くして支点としたり、あるいは突起などを設けて支点とし、先端部より手元側を重くするなど手元部に下向きの力を付与することで先端部を持ち上げている。
【先行技術文献】
【特許文献】
【０００５】
【特許文献１】特開平７−１９４４７３
【特許文献２】特開２００７−２８２９０４
【特許文献３】特開２０１５−２８２３
【発明の概要】
【発明が解決しようとする課題】
【０００６】
上記従来技術は、食卓の上面が汚れることを防止しているが、載置面からの浮上が十分ではなく、食事道具の先端部の汚れ具合によっては載置面を汚してしまう問題があった。その上、形状的に持ちにくいという問題があった。また、手元部が重く、重さのバランスが悪く持ちにくいという問題があった。さらに、本来は保持具を用いることが正しい作法なので、保持具を用いないことで作法や美しい所作を著しく損ねている。
【０００７】
本発明は、上記問題を解消し、保持具を用いながら保持具を汚さないで食事をすることができる上、持ちやすく、正しい作法で食事をすることができる食事道具と保持具のセットを提供することを目的とする。
【課題を解決するための手段】
【０００８】
上記目的を達成するために、本発明の食事道具セットは、  食卓用ナイフ又は使用者により把持されて食物を口に運ぶための道具である食事道具と、前記食事道具の先端部を支える保持具と、を備えた食事道具セットであって、
第１作用手段が前記食事道具に設けられ、前記第１作用手段との間で反発力を発生させるための第２作用手段が前記保持具に設けられ、前記反発力の作用により、前記食事道具の先端部が前記保持具から浮き上がった状態に保持されることを特徴とする。
【０００９】
また、本発明の食事道具セットは、前記第１作用手段と前記第２作用手段の間の所定領域における前記反発力の強度は、所定方向の中央部から外方に向かうに従い漸増し、前記所定方向は前記食事道具の長手方向に垂直でかつ水平方向に沿うことを特徴とする。
【００１０】
また、本発明の食事道具セットは、前記第１作用手段と前記第２作用手段の間の所定領域において、前記反発力の強度が中央部から周縁部に向かうに従い漸増することを特徴とする。
【００１１】
また、本発明の食事道具セットは、前記食事道具は２本の箸からなる一膳の箸であって、前記２本の箸の各々に相互に吸着しあう吸着手段が設けられていることを特徴とする。
【００１２】
また、本発明の食事道具セットは、前記第１作用手段と前記第２作用手段はいずれも磁石であって、前記第２作用手段の一対の磁極を結ぶ軸線は上下方向に沿って延び、前記第１作用手段の一対の磁極を結ぶ軸線は前記食事道具の長手方向に沿って延びることを特徴とする。
【発明の効果】
【００１３】
上述したように本発明の食事道具セットは、反発力で食事道具が保持具から浮上し、食事道具の先端部が前記保持具に直接接触することを防止でき、食卓上面も保持具も汚さないとともに、持ちやすく、保持具を用いる正しい作法や美しい所作を回復することができる。また、浮上することで普通はモノの重さを支えられない霧状物、液状物、ゲル状物、柔毛状物などの上に浮かせることができ、デザインの幅を広げることができる。
【００１４】
また、本発明の食事道具セットは、保持具の上方で食事道具が保持される所定の領域において、食事道具の長手方向に垂直でかつ水平な方向に沿った反発力の強度分布が、中央部から外方に向かうに従い漸増するので、食事道具の先端部の位置が前記所定領域の中央から前記水平方向に沿って外側にずれた場合に、中央に押し戻す復元力が発生するので力学的に不安定になるのを防止できる。
【００１５】
次に、本発明の食事道具セットは、保持具の上方で食事道具が保持される所定の領域において、前記反発力の強度が中央部から周縁部に向かうに従い漸増するので、食事道具の先端部の位置が前記所定領域の中央からいかなる方向にずれた場合でも、中央に押し戻す復元力が発生するので、力学的に不安定になるのを防止できる。
【００１６】
そして、本発明の食事道具セットは、前記食事道具が２本の箸からなる一膳の箸であるので、前記反発力を発生する第１作用手段もそれぞれの箸に設置されていてお互いの箸どうしも反発するが、前記２本の箸の各々には相互に吸着しあう吸着手段が設けられているので、２本の箸がバラバラになるのを防止できる。
【００１７】
さらに、本発明の食事道具セットは、前記第１作用手段と前記第２作用手段がいずれも磁石であって、前記第２作用手段の磁極を結ぶ軸が上下方向であるが、前記第１作用手段の磁極を結ぶ軸が上下でなく食事道具の長手方向（略水平方向）にあるので、有害な吸着力を発生する第１作用手段の磁極を浮上領域の外側に排除でき、安定して浮上することができる。
【図面の簡単な説明】
【００１８】
【図１】本発明の第１の実施形態を示す食事道具セットの正面図
【図２】本発明の第１の実施形態を示す食事道具セットの平面図
【図３】本発明の第１の実施形態を示す食事道具セットの側面図
【図４】第１作用手段が磁石の場合を表す部分断面図
【図５】第１作用手段が磁石の場合を表す別の実施形態を表す部分断面図
【図６】本発明の第２の実施形態を示す食事道具セットの正面図
【図７】本発明の第２の実施形態を示す食事道具セットの平面図
【図８】本発明の第２の実施形態を示す食事道具セットの側面図
【発明を実施するための形態】
【００１９】
以下、本発明の実施の形態を図１〜図８に基づいて説明する。
【００２０】
［第１の実施形態］
本発明の第１の実施形態を図１〜図３に示す。図１に示すように、食事道具セット１は、食事道具２と保持具３とから構成されている。図１では、食事道具セット１は食卓などの載置面４に載置されている。食事道具２は、使用者に把持されて食物を口に運ぶための道具（例えば、箸（一本の箸、一膳の箸）、フォーク、スプーン等）又は食卓用フォークであり、保持具３は食事道具２が載置面４に置かれた際に食事道具２を支持するものである。なお、図１〜図３では食事道具２の例としてスプーンを示している。
【００２１】
食事道具２は、食物に接する先端部２ａと、使用者により把持される手元部２ｂと、を有する。食事道具２の先端部２ａ付近には、第１作用手段５が設けられている。図１に示す例では、食事道具２の先端部２ａ付近に第１作用手段５が埋設されている。
【００２２】
保持具３には、第２作用手段６が設けられている。図１に示す例では、第２作用手段６は保持具３に埋設されているが、本発明はこれに限定されず、第２作用手段６は保持具３の表面から部分的に露出していてもよく、或いは保持具３の表面に設置されるものであってもよい。
【００２３】
そして、食事道具２の先端部２ａ付近を保持具３に近づけると、第１作用手段５と第２作用手段６の間に反発力７（点線で表す）が発生し、この反発力７の作用により、食事道具２は先端部２ａが保持具３から浮き上がった状態に保持される。これにより、手元部２ｂの端部は載置面４に設置して下方から支持され、先端部２ａは保持具３から浮き上がった状態となるように、食事道具２を略水平状に寝かせて置くことができる。このことは、反発力７を発生させるためには、保持具２の上方空間であって第２作用手段６の作用により第１作用手段５との間で十分な反発力７を発生しうる領域（以下、「所定領域」という。）に、前記第１作用手段５の反発力７を発生させる部分（例えば磁極）が入っている必要がある。
【００２４】
第１作用手段５及び第２作用手段６としては、非接触で反発力７を生じさせるものであれば特に限定はないが、磁石であるのが簡便で安価で安全であり好ましい。特に、永久磁石を用いると電磁石のように電源の供給が必要ではなく、大きさを小さく軽くできるので好ましい。永久磁石としては、例えば、ネオジム磁石やサマリウム・コバルト磁石など各種磁石が適宜使用できるが、表面磁束密度が１００ミリテスラ〜１０００ミリテスラのネオジム磁石などの強力な永久磁石を用いると、大きさの割に反発力７が強く、食事道具２および保持具３のデザインの自由度を大きく向上できるので好ましい。なお、第２作用手段６として電磁石を用い、その反発力を利用してもよい。
【００２５】
第１作用手段５及び第２作用手段６の大きさとしては特に限定しないが、それぞれの作用手段５，６の最大寸法が５ｍｍ〜２５０ｍｍが好ましい。５ｍｍより小さいと食事道具２を安定して支えることが困難になり、２５０ｍｍより大きいと、食事道具２や保持具３に作用手段５，６を設けるのが困難になるからである。より好ましくは、１０ｍｍ〜１５０ｍｍである。
【００２６】
第１作用手段５の構成の仕方については特に限定しないが、一対の磁極を有する磁石を用いる場合は、反発力と同時に吸着力が生じるので、吸着力が浮上を阻害しないように構成するのが好ましい。
例えば、図４に模式的に示すように、反発力７を発生させる磁極５１が外側に、第２作用手段６との間で吸着力９を発生させる磁極５２が内側にそれぞれ位置するように、複数個の磁石５０を球殻状にあるいは円筒・円環状に配置すれば、仮に所定領域内に位置する磁極５１によって反発力７が発生するのと同時に所定領域内に位置する磁極５２によって吸着力９が発生した場合であっても、食事道具２の浮上は吸着力９により阻害されないので好ましい。なお、図４の例では、複数個の磁石５０により第１作用手段５が構成される。
【００２７】
さらに好ましくは、図５に示すように、吸着力９を生じさせる磁極５２が所定領域の外側に位置するように第１作用手段５を食事道具２の長手方向Ｄ１に細長く構成するのが好ましい。これは反発力７の発生に寄与する磁極５１と、反発力７の発生に寄与せずに第２作用手段６との間で吸着力９を発生させて食事道具２の先端部２ａの浮上を疎外する反対側の磁極５２とが互いに離れている方が、先端部２ａの浮上が安定し、より好ましいからである。
【００２８】
すなわちこの場合、第１作用手段５としての磁石５０のＳ極とＮ極を結ぶ軸線方向が食事道具２の長手方向Ｄ１（すなわち略水平方向）と平行であって、一方、第２作用手段６としての磁石６０のＳ極とＮ極を結ぶ軸線方向が上下方向Ｄ２であることが好ましい。
【００２９】
食事道具２の先端部２ａは反発力７によって保持具３の上に浮上しており、保持具３には直接接触していない。保持具３はこの反発力７を介して食事道具２の先端重量を非接触で支えている。
【００３０】
食事道具２の保持具３からの浮上高さＨ（図５）としては特に制限はないが、１ｍｍ〜１００ｍｍが好ましい。１ｍｍ以下では振動によって先端部２ａの汚れが保持具３に接触しやすくなり好ましくなく、１００ｍｍを超えると高すぎて使いづらいものとなる。より好ましくは５ｍｍ〜５０ｍｍである。
【００３１】
所定領域の大きさとしては、水平方向の最大寸法が１０ｍｍ〜１５０ｍｍが好ましい。１０ｍｍより小さいと食事道具２を安定して支えることが困難になり、１５０ｍｍより大きいと、食事道具セット１としては大きすぎるものになるからである。より好ましくは、２０ｍｍ〜１００ｍｍである。
【００３２】
食事道具２及び保持具３の材質については、反発力７の発生を阻害するものでなければ制限はなく、例えば木材、樹脂などの有機物をはじめ、ゴム、アルミニウム、チタン、セラミックスなどの公知の材料を用いることができる。
【００３３】
ここで、載置面４からの振動等が食事道具２に伝達すると、食事道具２が保持具３から落ちてしまうことが懸念される。この点、第２作用手段６に電磁石を用いて外部から電気的に制御することで動的安定性を得るような技術が知られており、このような技術を食事道具セット１に採用すれば、食事道具２が保持具３から落ちてしまうのを防止できる。即ち、浮上状態の食事道具２の所定位置からのズレ量をセンサーで検知し、ズレ量に応じた信号を電磁石の駆動回路にフィードバックすることで、ズレた方向と逆方向に作用する復元力を発生させるように磁場を時間的空間的に制御して安定化させればよい。
【００３４】
しかしながら、この場合にはサイズが大きくなり複雑で、製造費用も高額となることから、第２作用手段６として永久磁石を用いるのがより好ましい。一方、第２作用手段６に永久磁石を用いる方法では磁場を時間的に制御できないので、次の様に分布を構成するのが好ましい。
【００３５】
即ち、第２作用手段６に磁石を用いる場合には、食事道具２と保持具３との間の所定領域において、反発力７の強度が、中央部から周縁部に向かうに従い漸増するように構成する（図１、図３）。このようにすることで、食事道具２が振動等によって保持具３から落ちそうになっても、食事道具２を所定位置（反発力７の作用により先端部２ａが保持具３から浮き上がった状態で食事道具２が最も安定する位置）に押し戻そうとする復元力が働くので、力学的に不安定になるのを防止でき、食事道具２が保持具３により安定して保持される。また、前記のように分布を構成することは、上記の電磁石を用いる場合であっても制御機構を省略できるので好ましい。
【００３６】
この場合、所定領域における中央部の強度を１としたときの最外部の強度が１．０１〜１０であれば良い。１．０１を下回ると、復元作用が生じなくなるので好ましくない。逆に１０を超えると全体のバランスが崩れ、復元力が生じなくなるので好ましくない。１．１〜５がさらに好ましい。
【００３７】
上記のように反発力７の強度が所定領域の中央部から外方に向かうに従い漸増する構成は、例えば次のように実施できる。即ち、第２作用手段６として小型のネオジム磁石のような永久磁石を複数個用い、中央には磁力が最も小さい磁石を配し、その外側にはそれより磁力が大きい磁石を配し、順次外側に磁力の強い磁石を配し、そうやって所定領域において外方に向かうに従い順次磁力が増すように磁石を配すればよい。
【００３８】
あるいは、第２作用手段６として同じ磁力の小型のネオジム磁石のような永久磁石を複数個整列配置し、それらの直上に反発力を低減させる部材を、中央部から外方に向かうに従い低減効果が漸減するように配することで実現できる。このような部材としては、例えば非磁性体の厚みが異なるものや、金属など強磁性体のメッシュなどが使用できる。
【００３９】
反発力７の強度を漸増させる方法はこれに限るものではなく、様々な配置や磁石の組み合わせ、設計を適宜選択できる。いずれにしても、保持具３の側で分布を構成するのが好ましい。
【００４０】
なお、本発明は反発力７の強度が所定領域の中央部から周縁部に向かうに従い漸増する構成に限定されず、所定領域における反発力７の強度が、少なくとも左右方向（食事道具２の長手方向Ｄ１に垂直であって、水平方向に沿う方向：所定方向）Ｄ３において中央部から外方に向かうに従い漸増するように構成するようにすればよい。
【００４１】
即ち、食事道具２の手元部２ｂは載置面４に支えられており摩擦が働くので位置ずれし難いが、先端部２ａは摩擦がない浮上状態で水平方向に移動可能となっているので位置ずれが起きやすい。即ち、食事道具２は保持具３に対する左右方向Ｄ３の位置ずれは起きやすいが、長手方向Ｄ１への位置ずれは起きにくい。よって、所定領域における反発力７の強度が、少なくとも左右方向Ｄ３において中央部から外方に向かうに従い漸増するように構成すれば、振動が食事道具２に伝達する等して食事道具２の先端部２ａが所定位置から左右方向Ｄ３にずれそうになっても、所定位置に押し戻す復元力が働くので力学的に不安定になるのを防止できる。従って、食事道具２が保持具３の上方位置に安定して保持される。
【００４２】
ずれを防ぐ効果を向上させるため、食事道具２の手元部２ｂと載置面４との接触による摩擦を高める公知の技術を、本発明に任意に組み合わせることができる。例えば、食事道具２の載置面４に接する表面及び載置面４の少なくとも一方を粗面としたり、やわらかい材質、例えばシリコーンなどのゴム状材質で構成したりすれば摩擦を高めることができる。
【００４３】
本発明は、食事道具２としては重量が１０ｇ〜１００ｇの通常の食事道具に適用できる。そのような重さの食事道具の場合、反発力７としては３ｇ〜８０ｇあれば食事道具２の先端部２ａを浮上させることができる。
【００４４】
［第２の実施形態］
次に、本発明の第２の実施形態について図６〜図８を参照して説明する。なお、本実施形態において、上述した第１の実施形態におけるものと実質同一の部材については同一の参照番号を付し、その説明は省略する。
【００４５】
図６〜図８に示す様に、本実施形態の食事道具セット１０１は、食事道具としての一膳の箸１０２と保持具３とから構成されており、図６では食卓などの載置面４に載置されている。
【００４６】
一膳の箸１０２は、その構成要素として２本の箸１２０，１２０を有する。各箸１２０は第１の実施形態における食事道具２と略同一であるが、その手元部２ｂに吸着手段８が設けられている点において食事道具２と異なる。
即ち、各箸１２０の先端部２ａ付近には第１作用手段５が設けられており、保持具３に設けられた第２作用手段６との相互作用によって２本の箸１２０，１２０（一膳の箸１０２）と保持具３の間に反発力７（点線で表示）が発生する（図６、図８）。よって、本実施形態においても上述の第１の実施形態と同様に、手元部２ｂは載置面４により下方から支持され、先端部２ａは保持具３から浮き上がった状態となるように、一膳の箸１０２を略水平状に寝かせて置くことができる。
【００４７】
そして、それぞれの箸１２０に第１作用手段５が設けられているので、第２作用手段６と各第１作用手段５との間で反発力７が発生するのに加え（図８）、第１作用手段５，５同士の間でも反発力７’が発生するので（図７）、このままでは２本の箸１２０，１２０をそろえて浮上させることが困難となる。
【００４８】
そこで本実施形態では、２本の箸１２０，１２０の各々の手元部２ｂ，２ｂに吸着手段８をそれぞれ設け、２本の箸１２０，１２０が相互に吸着しあう吸着力９’（点線で表示）が発生するようにしている（図７）。これによって、２本の箸１２０，１２０の先端部２ａ，２ａの間に反発力７’が働いても、箸１２０，１２０同士がバラバラになることなく、２本の箸１２０，１２０がそろった状態を維持できる。すなわち、箸１２０，１２０の先端部２ａ，２ａを浮かしながら、２本の箸１２０，１２０をそろった状態でバラバラになることなく保持できる。
【００４９】
吸着手段８を設ける箇所は箸１２０の先端部２ａでなければどこでもよいが、長手方向Ｄ１の中央よりも手元部２ｂ側とするのが好ましい。
【００５０】
吸着手段８としては、吸着力９’を生じさせるものであれば特に限定はないが、磁石を用いるのが簡便で安価で安全であり好ましい。例えば、表面磁束密度が１００ミリテスラ〜１０００ミリテスラのネオジム磁石などの強力な永久磁石を用いると、大きさの割に吸着力９’が強く、電源の供給が不要で、食事道具１０２および保持具３のデザインの自由度を大きく向上できるので好ましい。
【００５１】
吸着力９’としては５ｇ〜５００ｇあるのが好ましい。５ｇ以上であれば箸１２０，１２０同士を吸着させることができるが、５ｇを下回ると箸１２０，１２０同士を吸着させることができなくなるので好ましくない。逆に５００ｇを超えると箸１２０，１２０同士を引き離すときに大きな力が必要になるので好ましくない。５０ｇ〜３００ｇがさらに好ましい。
【００５２】
以上、本発明の実施形態に係る食事道具セットについて添付の図面を参照して説明したが、本発明はかかる実施形態に限定されず、本発明の範囲を逸脱することなく種々の変形、修正が可能である。
【００５３】
例えば、保持具３は図１に示す様なブロック形状のものに限定されず、ナイフレストのようなブリッジ形状や他の任意の立体形状を有するものであっても良く、更にはランチョンマットのようなシート状のものや、盆、膳、食卓、テーブルなどであってもよい。
【００５４】
また、上記実施形態においては、食事道具２（１０２）は、手元部２ｂが載置面４により下方から支持され、先端部２ａが載置面４に載置された保持部３（第２作用手段６）との間で発生する反発力７により宙に浮いた状態に保持されるが、保持具を盆やテーブル等の形態とした場合には、食事道具２の手元部２ｂは保持具により下方から支持され、先端部２ａが保持具との間で発生する反発力７により宙に浮いた状態に保持される。
【００５５】
また、上記第２の実施形態においては、２本の箸１２０，１２０の各々に第１作用手段５を設けたが、何れか１方にのみ第１作用手段５を設けてもよい。この場合であっても、一対の吸着手段８，８の間で発生する吸着力９’の作用により２本の箸１２０，１２０は吸着し合うので、他方の箸１２０に第１作用手段５が設けられていなくても（他方の箸１２０と保持具３との間に反発力７が発生しなくても）、箸１２０，１２０は２本揃った状態で先端部２ａ，２ａが保持具３から上方に浮いた状態で保持される。
【００５６】
更に、上記実施形態においては、食事道具２（１０２）の先端部２ａは反発力７によって保持具３から浮上し、先端部２ａ側の重量は反発力７により支えられ、手元部２ｂ側の重量は載置面４により支えられているがこれに限ることはなく、反発力７によって食事道具２の全重量を支えるようにしても良い。例えば、第１作用手段５を十分長く構成し、磁極５１、５２の下にそれぞれの磁極と反発力を生じるように保持具３を構成すると良い。
【符号の説明】
【００５７】
１，１０１  食事道具セット
２，１０２  食事道具
３  保持具
４  載置面
５  第１作用手段
６  第２作用手段
７，７’  反発力
８  吸着手段
９，９’  吸着力
【図１】
2019055075.tif 000003
【図２】
2019055075.tif 000004
【図３】
2019055075.tif 000005
【図４】
2019055075.tif 000006
【図５】
2019055075.tif 000007
【図６】
2019055075.tif 000008
【図７】
2019055075.tif 000009
【図８】
2019055075.tif 000010